(57)【要約】【課題】肩部及び腕部に痛みや痺れが発生することを低減できるマットレスを提供することを目的としている。【解決手段】マットレス１は、本体部２と、空間部３と、を備えている。本体部２は、上面に側臥する部材である。空間部３は、本体部２に設けられ、側臥したときに下側に位置する肩部５１及び腕部５２が挿入される空間である。【選択図】図１
0003228914.tif 000002
【実用新案登録請求の範囲】
【請求項１】
上面に側臥する本体部と、
前記本体部に設けられ、側臥したときに下側に位置する肩部及び腕部が挿入される空間部と、を備えてなるマットレス。
【請求項２】
前記本体部は、第１本体部と、第２本体部と、第３本体部と、第４本体部と、をさらに有し、
前記第１本体部は、側臥したときに頭部が載置され、
前記第２本体部は、前記第１本体部との間に前記空間部が配置され、側臥したときに胴部が載置され、
前記第３本体部は、前記第２本体部と連結され、側臥したときに腰部及び腿部が載置され、
前記第４本体部は、前記第３本体部と連結され、側臥したときに脛部及び足部が載置され、
前記第１本体部、前記第２本体部は、硬質材料により形成され、
前記第３本体部、前記第４本体部は、軟質材料により形成されてなる請求項１に記載のマットレス。
【請求項３】
前記空間部及び／又は前記第４本体部の上面に着脱自在に装着される小片部をさらに備えてなる請求項２に記載のマットレス。
【考案の詳細な説明】
【技術分野】
【０００１】
本考案は、就寝時に使用するマットレスに関する。
【背景技術】
【０００２】
従来、ＳＡＳ（Ｓｌｅｅｐ  Ａｐｎｅａ  Ｓｙｎｄｒｏｍｅ、睡眠時無呼吸症候群）患者は、例えば、ベッドの上面に載置したマットレスに仰臥した（上向きに寝た）状態で、ＣＰＡＰ（Ｃｏｎｔｉｎｕｏｕｓ  Ｐｏｓｉｔｉｖｅ  Ａｉｒｗａｙ  Ｐｒｅｓｓｕｒｅ、持続陽圧呼吸療法）装置にチューブを介して接続されたマスクを鼻に装着し、加圧された空気を鼻から気道に送り込み、気道を拡張することによって、睡眠時の呼吸を良好にするものが知られている（例えば、特許文献１参照）。一方、ＳＡＳ患者は、マットレスに仰臥した状態で、マウスピース（スリープスプリント、歯科装具、口腔内装置）を口腔内に装着し、下顎を前方に移動した状態を保持し、気道を確保することによって、睡眠時の呼吸を良好にするものが知られている（例えば、特許文献２参照）。
【先行技術文献】
【特許文献】
【０００３】
【特許文献１】特開２０２０−７４９７０号公報
【特許文献２】特開２００４−７３４７３号公報
【考案の概要】
【考案が解決しようとする課題】
【０００４】
上記従来のＣＰＡＰ装置を使用する場合には、特に、冬季等の寝室の温度が低い場合には、マスクの内部に結露による水滴が発生し、水滴が鼻から気管に侵入するという問題があった。一方、上記従来のマウスピースを装着する場合には、マウスピースを装着しない場合に比して、唾液が多く分泌されるから、特に、マットレスに仰臥する場合には、唾液が口腔から気管に侵入するという問題があった。就寝中に水滴や唾液が気管に侵入（誤嚥）すると、顕性誤嚥の場合には、噎せたり、咳き込むことによって、睡眠が阻害されるおそれがある。他方、不顕性誤嚥の場合には、無意識に水滴や唾液が気管から肺に侵入し、水滴や唾液に含まれる細菌やウイルス等によって、誤嚥性肺炎を発症するおそれがある。そこで、ＳＡＳ患者は、上記従来のＣＰＡＰ装置や上記従来のマウスピースに代えて、マットレスに側臥する（横臥する、横向きに寝る）ことによって、水滴や唾液が気管に侵入するという問題を解消しながら、睡眠時の呼吸を良好にすることがある。しかしながら、マットレスに側臥する場合には、側臥したときに下側に位置する肩部及び腕部がマットレスによって強く圧迫されるから、肩部及び腕部に痛みや痺れが発生するという問題があった。
【０００５】
そこで、本考案は、上述の問題に鑑み、肩部及び腕部に痛みや痺れが発生することを低減できるマットレスを提供することを目的としている。
【課題を解決するための手段】
【０００６】
上記本考案の目的は、以下の手段によって達成される。なお、括弧内は、後述する実施形態の参照符号を付したものであるが、本考案はこれに限定されるものではない。
【０００７】
請求項１の考案に係るマットレス（１）は、上面に側臥する本体部（２）と、前記本体部（２）に設けられ、側臥したときに下側に位置する肩部（５１）及び腕部（５２）が挿入される空間部（３）と、を備えてなることを特徴としている。
【０００８】
請求項２の考案に係るマットレス（１）は、上記請求項１に記載のマットレス（１）において、前記本体部（２）は、第１本体部（２１）と、第２本体部（２２）と、第３本体部（２３）と、第４本体部（２４）と、をさらに有し、前記第１本体部（２１）は、側臥したときに頭部（５３）が載置され、前記第２本体部（２２）は、前記第１本体部（２１）との間に前記空間部（３）が配置され、側臥したときに胴部（５４）が載置され、前記第３本体部（２３）は、前記第２本体部（２２）と連結され、側臥したときに腰部（５５）及び腿部（５６）が載置され、前記第４本体部（２４）は、前記第３本体部（２３）と連結され、側臥したときに脛部（５７）及び足部（５８）が載置され、前記第１本体部（２１）、前記第２本体部（２２）は、硬質材料により形成され、前記第３本体部（２３）、前記第４本体部（２４）は、軟質材料により形成されてなることを特徴としている。
【０００９】
請求項３の考案に係るマットレス（１）は、上記請求項２に記載のマットレス（１）において、前記空間部（３）及び／又は前記第４本体部（２４）の上面に着脱自在に装着される小片部（４）をさらに備えてなることを特徴としている。
【考案の効果】
【００１０】
次に、本考案の効果について、図面の参照符号を付して説明する。なお、括弧内は、後述する実施形態の参照符号を付したものであるが、本考案はこれに限定されるものではない。
【００１１】
請求項１の考案によれば、マットレス（１）が、本体部（２）に設けられ、側臥したときに下側に位置する肩部（５１）及び腕部（５２）が挿入される空間部（３）を備えている。これにより、肩部（５１）及び腕部（５２）が本体部（２）によって強く圧迫されることがなくなるから、肩部（５１）及び腕部（５２）に痛みや痺れが発生することを低減することができる。
【００１２】
請求項２の考案によれば、側臥したときに、頭部（５３）、胴部（５４）が載置される、第１本体部（２１）、第２本体部（２２）が、硬質材料により形成され、側臥したときに、腰部（５５）及び腿部（５６）が載置される第３本体部（２３）、脛部（５７）及び足部（５８）が載置される第４本体部（２４）が、軟質材料により形成されている。これにより、硬質材料により形成された、第１本体部（２１）、第２本体部（２２）に載置される、頭部（５３）、胴部（５４）において、睡眠姿勢を維持することができる。さらに、軟質材料により形成された第３本体部（２３）に載置される腰部（５５）及び腿部（５６）、軟質材料により形成された第４本体部（２４）に載置される脛部（５７）及び足部（５８）において、フィット感を向上することができる。
【００１３】
請求項３の考案によれば、マットレス（１）が、空間部（３）及び／又は第４本体部（２４）の上面に着脱自在に装着される小片部（４）をさらに備えている。これにより、空間部（３）に小片部（４）を装着することによって、空間部（３）の間隔を一定に保持することができる。さらに、請求項３の考案によれば、第４本体部（２４）の上面に小片部（４）を装着することによって、立ち上がるときに足部（５８）を掛止することができる。
【図面の簡単な説明】
【００１４】
【図１】本考案の一実施形態に係るマットレスを例示する平面図である。
【図２】同マットレスを例示する縦断面図である。
【図３】同マットレスの空間部を拡大して例示する平面図である。
【図４】本考案の変形例に係るマットレスの空間部を拡大して例示する平面図である。
【考案を実施するための形態】
【００１５】
以下に、本考案に係るマットレスの一実施形態について、図面を参照して具体的に説明する。なお、以下の説明において、上下左右の方向を示す場合は、図示正面から見た場合の上下左右をいうものとする。
【００１６】
マットレス１は、就寝時に使用するものである。マットレス１は、図１及び図２に示すように、主に、ＳＡＳ患者５０が、従来のＣＰＡＰ装置や従来のマウスピースに代えて、側臥することによって、水滴や唾液が気管に侵入するという問題を解消しながら、睡眠時の呼吸を良好にするものである。なお、睡眠時の呼吸をさらに良好にするために、鼻呼吸を促進する口閉じテープを使用してもよい。マットレス１は、ベッド３０の上面に載置されている。マットレス１の上面には、枕４０が載置されている。マットレス１は、本体部２と、空間部３と、小片部４と、を備えている。本体部２は、上面に側臥する部材である。空間部３は、本体部２に設けられ、側臥したときに下側に位置する肩部５１及び腕部５２が挿入される空間（隙間）である。小片部４は、空間部３及び／又は本体部２の上面に着脱自在に装着される部材である。以下に、マットレス１の各構成について、詳細に説明する。
【００１７】
本体部２は、図１及び図２に示すように、第１本体部２１と、第２本体部２２と、第３本体部２３と、第４本体部２４と、をさらに有している。第１本体部２１は、側臥したときに頭部５３が載置される部材である。第２本体部２２は、第１本体部２１との間に空間部３が配置され、側臥したときに胴部５４が載置される部材である。第３本体部２３は、第２本体部２２と連結され、側臥したときに腰部５５及び腿部５６が載置される部材である。第４本体部２４は、第３本体部２３と連結され、側臥したときに脛部５７及び足部５８が載置される部材である。本体部２は、第１本体部２１と、第２本体部２２、第３本体部２３、第４本体部２４からなる部材と、の２つの部材で構成されている。第１本体部２１と、第２本体部２２、第３本体部２３、第４本体部２４からなる部材には、夫々全外周にわたってシーツ、カバー等の被覆部材（図示せず）が着脱自在に装着されている。第１本体部２１の上面には、中央部において、枕４０が載置されている。枕４０は、矩形状の部材である。枕４０は、軟質材料により形成されている。枕４０は、第３本体部２３、第４本体部２４と同一材料により形成されている。枕４０には、全外周にわたってカバー等の被覆部材（図示せず）が着脱自在に装着されている。枕４０の厚さ（高さ）は、例えば、３０ｍｍ以上７０ｍｍ以下となる低いものである。具体的には、枕４０の厚さは、例えば、６０ｍｍである。
【００１８】
第１本体部２１は、図１に示すように、空間部３に対向する一辺（図１では、左辺）が円弧状に凹んで形成された凹形状の部材である。第２本体部２２は、空間部３に対向する一辺（図１では、右辺）が円弧状に突出して形成された凸形状の部材である。第２本体部２２の空間部３に対向する一辺は、第１本体部２１の空間部３に対向する一辺と、同一形状である。このため、第２本体部２２の空間部３に対向する一辺を、第１本体部２１の空間部３に対向する一辺に接触したとき、第１本体部２１及び第２本体部２２の全体で矩形状となるように形成されている。第３本体部２３及び第４本体部２４は、夫々矩形状の部材である。第３本体部２３は、第２本体部２２の空間部３に対向する一辺を、第１本体部２１の空間部３に対向する一辺に接触したとき、第１本体部２１及び第２本体部２２の全体と同一形状である。第４本体部２４は、第３本体部２３と同一形状である。第１本体部２１、第２本体部２２、第３本体部２３、第４本体部２４は、図２に示すように、同一の厚さ（高さ）となるように形成されている。第１本体部２１、第２本体部２２、第３本体部２３、第４本体部２４の厚さは、例えば、３０ｍｍ以上１００ｍｍ以下である。具体的には、第１本体部２１、第２本体部２２、第３本体部２３、第４本体部２４の厚さは、例えば、５０ｍｍ又は８０ｍｍである。
【００１９】
第１本体部２１、第２本体部２２は、図１及び図２に示すように、硬質材料により形成されている。詳細には、第１本体部２１、第２本体部２２は、硬質ポリウレタン発泡樹脂により形成されている。硬質ポリウレタン発泡樹脂は、ＪＩＳ（日本産業規格）  Ｋ６４００−２（軟質発泡材料−物理特性の求め方−第２部：硬さ及び圧縮応力−ひずみ特性の求め方）のＡ法に準拠して測定された硬さが、１１０Ｎ以上となるポリウレタン発泡樹脂である。第１本体部２１、第２本体部２２の硬さは、例えば、１２０Ｎ以上１５０Ｎ以下である。具体的には、第１本体部２１、第２本体部２２の硬さは、例えば、１３０Ｎである。第３本体部２３、第４本体部２４は、軟質材料により形成されている。詳細には、第３本体部２３、第４本体部２４は、軟質ポリウレタン発泡樹脂により形成されている。軟質ポリウレタン発泡樹脂は、ＪＩＳ  Ｋ６４００−２のＡ法に準拠して測定された硬さが、７５Ｎ未満となるポリウレタン発泡樹脂である。第３本体部２３、第４本体部２４の硬さは、例えば、３０Ｎ以上６０Ｎ以下である。具体的には、第３本体部２３、第４本体部２４の硬さは、例えば、５０Ｎである。
【００２０】
本実施形態によれば、側臥したときに、頭部５３、胴部５４が載置される、第１本体部２１、第２本体部２２が、硬質材料により形成され、側臥したときに、腰部５５及び腿部５６が載置される第３本体部２３、脛部５７及び足部５８が載置される第４本体部２４が、軟質材料により形成されている。これにより、硬質材料により形成された、第１本体部２１、第２本体部２２に載置される、頭部５３、胴部５４において、睡眠姿勢を維持することができる。さらに、軟質材料により形成された第３本体部２３に載置される腰部５５及び腿部５６、並びに、第４本体部２４に載置される脛部５７及び足部５８において、フィット感を向上することができる。
【００２１】
空間部３は、図１及び図２に示すように、第１本体部２１と第２本体部２２との間に設けられ、側臥したときに下側に位置する肩部５１及び腕部５２が挿入される空間（隙間）である。詳細には、右側（図１では、上側）の空間部３は、図１に示すように、右向きに側臥したときに下側に位置する右側の肩部５１及び腕部５２が挿入される空間である。左側（図１では、下側）の空間部３は、図２に示すように、左向きに側臥したときに下側に位置する左側の肩部５１及び腕部５２が挿入される空間である。空間部３は、図１に示すように、左側の空間部３と、右側の空間部３とが対称となるように形成された円弧状の空間である。空間部３は、第１本体部２１を、第２本体部２２に対して離接することによって、間隔（幅）を変更することが可能である。空間部３の間隔は、例えば、７０ｍｍ以上１５０ｍｍ以下となるように変更することが可能である。具体的には、空間部３の間隔は、例えば、１００ｍｍである。空間部３の深さ（高さ）は、図２に示すように、第１本体部２１及び第２本体部２２の厚さ（高さ）と同一である。空間部３の深さは、例えば、３０ｍｍ以上１００ｍｍ以下である。具体的には、空間部３の深さは、例えば、５０ｍｍ又は８０ｍｍである。
【００２２】
小片部４は、図３に示すように、空間部３に着脱自在に装着される２つの部材である。小片部４は、矩形状の部材である。小片部４は、硬質材料により形成されている。小片部４は、第１本体部２１、第２本体部２２、第３本体部２３と同一材料により形成されている。小片部４には、全外周にわたってシーツ、カバー等の被覆部材（図示せず）が着脱自在に装着されている。小片部４は、空間部３の間隔を一定に保持するものである。すなわち、小片部４は、第１本体部２１を第２本体部２２に対して位置決めするものである。小片部４の間隔は、例えば、７０ｍｍ以上１５０ｍｍ以下である。具体的には、小片部４の間隔は、例えば、１００ｍｍである。小片部４の厚さ（高さ）は、図２に示すように、第１本体部２１及び第２本体部２２の厚さ（高さ）と同一である。小片部４の厚さは、例えば、３０ｍｍ以上１００ｍｍ以下である。具体的には、小片部４の厚さは、例えば、５０ｍｍ又は８０ｍｍである。さらに、小片部４は、図１及び図２に示すように、第４本体部２４の上面に着脱自在に装着される２つの部材である。小片部４は、第４本体部２４の中央部に間隔をあけて配置されている。小片部４は、面ファスナ等の固定手段（図示せず）によって、第４本体部２４の上面に着脱自在に装着されている。小片部４は、立ち上がるときに足部５８を掛止するものである。第４本体部２４の上面に装着される小片部４は、空間部３に装着される小片部４と同一である。なお、本実施形態では、第４本体部２４の上面に装着される小片部４及び空間部３に装着される小片部４の両方を設けたが、これに限らず、例えば、第４本体部２４の上面に装着される小片部４及び空間部３に装着される小片部４の一方のみを設ける構成にしてもよい。
【００２３】
本実施形態によれば、マットレス１が、空間部３に着脱自在に装着される小片部４をさらに備えている。これにより、空間部３に小片部４を装着することによって、空間部３の間隔を一定に保持することができる。さらに、本実施形態によれば、第４本体部２４の上面に小片部４を装着することによって、立ち上がるときに足部５８を掛止することができる。
【００２４】
かくして、上記のように構成されたマットレス１は、以下のように使用する。
【００２５】
まず、図１及び図２に示すように、第２本体部２２、第３本体部２３、第４本体部２４からなる部材を、ベッド３０の上面に載置する。次いで、第１本体部２１を、第２本体部２２との間に空間部３を形成するように、ベッド３０の上面に載置する。次いで、図３に示すように、２つの小片部４を、空間部３に装着し、空間部３の間隔が一定となるように、第１本体部２１を、第２本体部２２に対して位置決めする。次いで、２つの小片部４を、第４本体部２４の上面に装着する。そして、ＳＡＳ患者５０が、本体部２の上面に側臥すると、側臥したときに下側に位置する肩部５１及び腕部５２が、空間部３に挿入されることとなる。
【００２６】
かくして、このようにして、マットレス１を、使用することができる。
【００２７】
しかして、以上説明した本実施形態によれば、マットレス１が、本体部２に設けられ、側臥したときに下側に位置する肩部５１及び腕部５２が挿入される空間部３を備えている。これにより、肩部５１及び腕部５２が本体部２によって強く圧迫されることがなくなるから、肩部５１及び腕部５２に痛みや痺れが発生することを低減できる。
【００２８】
なお、本実施形態において示した形状等はあくまで一例であり、特許請求の範囲に記載された本考案の要旨の範囲内において、種々の変形・変更が可能である。本実施形態においては、マットレス１は、ベッド３０の上面に載置されていたが、これに限らず、例えば、床面に載置する敷布団に相当するものであってもよい。
【００２９】
さらに、本実施形態では、本体部２は、第１本体部２１と、第２本体部２２、第３本体部２３、第４本体部２４からなる部材と、の２つの部材で構成されていたが、これに限らず、例えば、第１本体部２１と第２本体部２２との間に空間部３が配置されるように、第１本体部２１と第２本体部２２とを連結し、第１本体部２１、第２本体部２２、第３本体部２３、第４本体部２４からなる１つの部材で構成してもよい。あるいは、第３本体部２３と第４本体部２４とを分離し、第１本体部２１と、第２本体部２２及び第３本体部２３からなる部材と、第４本体部２４と、の３つの部材で構成してもよい。
【００３０】
さらにまた、本実施形態では、空間部３は、図３に示すように、円弧状の空間であったが、これに限らず、例えば、図４に示すように、直線状の空間であってもよい。この場合には、第１本体部２１及び第２本体部２２の形状が簡素になるから、本体部２を安価に製造することができる。
【符号の説明】
【００３１】
１      マットレス
２      本体部
３      空間部
４      小片部
２１    第１本体部
２２    第２本体部
２３    第３本体部
２４    第４本体部
３０    ベッド
４０    枕
５０    ＳＡＳ患者
５１    肩部
５２    腕部
５３    頭部
５４    胴部
５５    腰部
５６    腿部
５７    脛部
５８    足部
【図１】
0003228914.tif 000003
【図２】
0003228914.tif 000004
【図３】
0003228914.tif 000005
【図４】
0003228914.tif 000006